(57)【特許請求の範囲】
【請求項１】
搖動木馬において、その橇板の前後方向の中心部に、橇板の下面よりも飛び出すような径の偏芯可動輪を、左右に設けた動く木馬。
【請求項２】
請求項１に記載の動く木馬の左右の偏芯可動輪を一体的に結合した構造とした動く木馬。
【請求項３】
偏芯可動輪が、床面に接地しないような位置で留められる構造とした請求項１又は請求項２に記載の動く木馬であって、留める構造体を橇板の強度部材と併用したもの。
【発明の詳細な説明】
【技術分野】
【０００１】  本発明は、一般的には木馬と称される子供が乗って遊ぶおもちゃに関する。
【背景技術】
【０００２】  一般的な木馬は、図１に示すような形をしており、子供がその座板（５）にまたがって、前後に揺らせながら遊ぶおもちゃである。【０００３】  この木馬は、子供にとって非常に魅力あるものであり、ある程度成長し自由に体を動かすことができるようになると、非常に欲しがるおもちゃの代表である。【０００４】  しかしながら、こうした木馬は移動ができず、単に一箇所に留まったまま揺動するのみである。そのため、簡単な機構で前後に移動ができるようにし、その魅力をより向上させたいとの思いを誰しもいだく。【０００５】  例えば、特許文献１に示された案は、楕円板を木馬の橇（そり）板（１ａ、１ｂ）の前方に設け、主として前進が可能としたものである。【０００６】  特許文献２の案は、可動棹を設けることにより、前進運動を可能としたものである。【０００７】  特許文献３の案は、可動棹と可動車輪とを設けたもので、出願時期は逆としても、アイデアとしては、特許文献２の案をより滑らかに動かせるようなものとなっている。【０００８】  特許文献４の案は、橇板に独自の工夫をこらしたもので、設定された橇板形状によりユニークな動きをさせようとするものである。【０００９】  特許文献５の案は、多数の車輪を橇板の下部に設けたものである。
【先行技術文献】
【特許文献】
【００１０】
【特許文献１】公開実用  昭和５５−１９６４４号
【００１１】
【特許文献２】公開特許公報  特開平０６−２４６０７１号
【００１２】
【特許文献３】公開実用  昭和６３−２９５８７号
【００１３】
【特許文献４】公開実用  平成０６−６６７８１
【００１４】
【特許文献５】公開実用  平成０７−３１０７０
【発明の概要】
【発明が解決しようとする課題】
【００１５】  以上で述べたように、各種の移動可能な木馬の案はあるが、必ずしも子供に使いやすく、動きが滑らかで、かつ各種の運動ができる面白さのあるものとは言い難い。【００１６】  あるいは、案によっては、子供にとって安全であるのか、信頼性に富む構造であるのかといった点からも、十分に検討されたとは言い難い。【００１７】  つまり、特許文献１の案は、小さく搖動する時には、前進が非常に難しい構造と思われるし、楕円板の表面の摩擦係数が低いと、前進も後退もうまくいかない構造と考えられる。【００１８】  特許文献２の案は、木馬が前進運動しかできない。しかも、橇板の摩擦により、進みづらいものと思われる。メカニズムの信頼性も乏しいように思える。【００１９】  特許文献３の案は、特許文献２の案をより滑りやすくしたものと思われるが、特許文献２と同様に前進しかできない欠点がある。【００２０】  特許文献４の案は、面白い動きが生じそうであるし、信頼性にも富む構造をしていると思われるが、製作時の橇板の仕様により、その動きが一義的に決まってしまう欠点がある。【００２１】  特許文献５の案は、子供の意図どおりの動きが生じるのか疑問がある。また、多くの車輪を装着しており、信頼性にも疑問がある。【００２２】  本発明は、こうした従来の動く木馬が有していた問題を解決しようとするものである。つまり、搖動運動だけでなく、前進運動と後退運動が自由にでき、さらに、左右の旋回運動をも可能とするものである。
【課題を解決するための手段】
【００２３】  本発明の第１の解決手段は、上記課題を達成するために、搖動木馬において、その橇板の前後方向の中心部に、橇板の下面よりも飛び出すような径の偏芯可動輪を、左右に設けたものである。【００２４】  第２の解決手段は、偏芯可動輪を、左右の橇板間に１個だけ配置したものである。【００２５】  第３の解決手段は、偏芯可動輪が、床面に接地しないような位置で留められる構造としたものである。【００２６】  上記第１の課題解決手段による作用は、次の通りである。つまり、橇板よりも飛び出すような径の偏芯可動輪を橇板の中央部に設けることで、子供が木馬を搖動させた時に起きる橇板の接地点と偏芯可動輪の接地点との相対移動、及び、その接地点に働く子供の体重、及び偏芯可動輪に働くモーメントを利用し、木馬を前後運動、左右旋回運動させるものである。【００２７】  上記第２の課題解決手段による作用は、木馬に、単純に前後運動のみが生じるようにしたものである。【００２８】  上記第３の課題解決手段は、上記第１、第２の作用を起させないようにし、単純に従来と同じ搖動のみを起させる木馬としたものである。自由に動く木馬はどこに移動するか予測できないので、親の目が届かない場合は安全とは言えない。こうした場合を考慮し、自由に動く特性が生じないようにしたものである。
【発明の効果】
【００２９】  上記第１の解決手段により、子供が木馬にまたがり、単純に搖動させるだけで、可動輪の接地状態により、前後運動、左右旋回運動が生じる。以下にその詳細を説明する。【００３０】  なお、これ以降の図は、本発明と関係の無い部分、つまり、図１の前足（３ａ、３ｂ）と後足（４ａ、４ｂ）より上の構造は記載していない。【００３１】  また、以下の説明文中では、木馬の各種の運動（搖動運動、前後運動、旋回運動）について述べている。従って、混乱を避けるために、運動に使用した用語の説明を図２に記載している。【００３２】  偏芯可動輪（１０ａ、１０ｂ）は、図３、図４に示すように設けている。この偏芯可動輪は、可動輪軸（１１）との間で、自由に回転できるようになっており、木馬を持ち上げた時は、図３の断面図に示すように、橇板（１ａ、１ｂ）よりも少し飛び出す仕様としている。【００３３】  従って、木馬を床面に置いた場合、偏芯可動輪には四つの接地状態が現れる。その状態を図６（ａ）〜（ｄ）に示す。【００３４】  図６（ａ）図は、左可動輪（１０ａ）及び右可動輪（１０ｂ）が軸芯よりも前方向の位置に接地した状態を示す。その時の、可動輪の回転方向を＋とする。この状態で子供が木馬を搖動させると、木馬は後退運動を起す。【００３５】  図６（ｂ）図は、左可動輪（１０ａ）、右可動輪（１０ｂ）ともに、軸芯の後方向の位置に接地した状態を示す。その時の、可動輪の回転方向を−とする。この状態では子供が木馬を搖動させると、木馬は前進運動を起す。【００３６】  図６（ｃ）は、左可動輪が＋に、右可動輪が−に接地した状態を示す。この状態で子供が木馬を搖動させると、木馬は定位置で左旋回運動を起す。【００３７】  図６（ｄ）は、左可動輪が−に、右可動輪が＋に接地した状態を示す。この状態で子供が木馬を搖動させると、木馬は定位置で右旋回運動を起す。【００３８】  以上のように、本発明では、従来の方法では実現できなかった色々な動きを木馬にさせることができる。【００３９】  さらに、子供が激しく前傾、後傾運動をすると、つまり橇板の傾きが大きくなると、ある時点で可動輪が浮き上がる状況が発生する。そして、その次の可動輪の着地が＋方向になるのか、−方向になるのかは予測できない。偶然に支配される。【００４０】  そうすると、例えば、当初は図６（ａ）の可動輪配置であったものが、あるタイミングで偶然に（ｂ）〜（ｄ）のうちのいずれかの接地状態に移行する。従って、後退運動をしていた木馬が、あるタイミングで偶然に右旋回運動に移ったり、あるいは前進運動に移ったりという現象が起きる。これも、本発明の大きな効果であり、木馬の楽しさを大幅に向上させる要素となっている。【００４１】  また、図３、図４に示した偏芯可動輪は、湾曲橇板の内側に設けているが、これを外側に設けてもよい。【００４２】  しかし、子供が木馬に乗った時に怪我をしにくいようにとの思いから、内側に配置している。この内側配置は、安全面だけでなく、可動輪が外れにくい構造が簡単に実現できる点でも望ましいからである。【００４３】  上述の複雑な動きは、左右に可動輪を設けた場合の現象であるが、こうした複雑な動きを好まない人に対しては、図５に示したような１個の広巾の可動輪を設けることも可能である。この場合は、前進と後退運動しかできないが、これが第２の解決手段の効果である。【００４４】  この図５に示した１個の可動輪（１３）の場合は、可動輪と可動輪軸（１１）とが一体であってもよい。ただし、その場合は、橇板（１）と可動輪軸（１１）との間で、滑りが生じるようにする必要がある。【００４５】  また、図５の偏芯可動輪は、必ずしも全長に渡って円柱である必要は無く、両端が同径であれば中間部の径が細くなっていてもよい。また、僅かに中央部が膨らんだ樽型であってもよい。【００４６】  以上述べたように、偏芯可動輪の設定は、子供にとっておもしろい動きをする木馬となるが、その動きはある種の偶然に作用されるため、親が目を離すと、どこに移動していくかわからない危険がある。そこで、単に一定位置での前傾と後傾の搖動運動のみが起きるようにしたい場合がある。つまり、従来からある搖動木馬の機能に戻したい場合がある。【００４７】  そうしたい場合は、可動輪が床に接触しない位置で、可動輪を固定すればよい。簡単には、親や子供自身等がガムテープ等で可動輪を留めればよいが、木馬自体にそういう構造を折りこんでおくことがより望ましい。【００４８】  その時は、例えば図７に示すように、留め板（２０）を設けることで、十分である。ただし、この留め板は、偏芯可動輪の動きの邪魔をせず、しかも図７のように可動輪を簡単に預けられる位置に設置しないといけない。【００４９】  あるいは、少し作業を伴なうが、図８に示すような留め穴（２２）と留めボルト（２１）を設けて、それで固定してもよい。あるいは、留め詮のようなものでもよい。こうした手法で、可動輪の機能を停止することができる。これが、第３の解決手段の効果である。【００５０】  またこうした留めボルトや留め詮、留め金具は、図８のように可動輪の内側からでなく、橇板の外側から設定してもよい。留め板に関しても、図７のように可動輪の後側に設けるだけでなく、前側に設けてもよい。あるいは、留め板を図２のように長めに設定し、子供の踏み板としての機能を持たせたり、左右の橇板の固定機能を兼ね備えてもよい。
【図面の簡単な説明】
【００５１】
【図１】  一般的な木馬の構造の斜視図
【図２】  木馬の各種運動の説明図
【図３】  本発明の実施形態を示す木馬の下部構造の断面図
【図４】  本発明の実施形態を示す木馬の下部構造の平面図
【図５】  本発明で一輪の時の下部構造の平面図
【図６】  本発明の可動輪の接地状態を示す部分断面図
【図７】  留め板を設けた可動輪固定法の部分断面図
【図８】  留めボルトを使用した可動輪固定法の斜視図
【図９】  橇板の設計仕様説明図
【図１０】  可動輪の設計仕様説明図
【図１１】  実施例１の運動メカニズム説明図
【図１２】  回転モーメント説明図
【発明を実施するための形態】
【００５２】  以下、本発明の実施例を２つ（表１と表２）、図１１〜図１２に基づいて説明する。この実施例で用いた用語は、図９、図１０に示した。
【００５３】  先ず、実施例１（表１）、実施例２（表２）の共通項である使用材や板厚等は、以下の通り。
【００５４】  木馬の材質は、全てタモ材を使用した。橇板（１ａ、１ｂ）は、長さを６５０ｍｍ、厚さを２０ｍｍ、底面Ｒを１０００ｍｍ、角部はＲ３ｍｍで面取りした。橇板固定用前棒（２ａ）と橇板固定用後棒（２ｂ）の直径は３０ｍｍ、棒の前後の距離は、棒の芯−芯間３７０ｍｍとし、橇板の中央から前後に均等に振り分けた。左右の橇板間の距離は板の芯−芯間２３０ｍｍとした。その他の上部の構造についても板厚１５ｍｍとしている。が形状の詳細は省略する。
【００５５】  本発明と関連する可動輪軸（１１）の直径は１６ｍｍ、スペーサー部の外径は２０ｍｍとした。ただ、この実施例の可動輪軸とスペーサーは図４と異なり、一体とし、スペーサーの両端を削りこんで可動輪軸径とした。このように、可動輪と可動輪軸との間で自由な動きが可能であれば、スペーサーと可動輪軸は一体であってもよい。また、可動輪軸は橇板にカシメた。
【００５６】  偏芯可動輪（１０）は厚さを１５ｍｍとし、角部はＲ２ｍｍで面取りした。偏芯可動輪は橇板内面と接触する位置に取付けているため、左右可動輪の間隔は芯−芯間１９５ｍｍである。この可動輪を支える可動輪軸（１１）は、橇板長さの中央の位置に設定した。一応、色々な子供の乗り方を考えて、この中央位置を選定しているが、±５０ｍｍ程度であれば、許容可能である。請求項に記載の橇板前後方向の中央部という表現も、この範囲を含んでいる。この軸の位置は、子供が木馬にまたがった時の重心位置や揺らせ方と関連するもので、あまりずらせると、前進運動と後退運動の何れかが犠牲になる。
【００５７】  留め板（２０）は厚さ１０ｍｍ、前後幅７０ｍｍ、左右長は２５０ｍｍとし、橇板上面にビス止めした。実施例１では、図７と同様の形態で、可動輪軸より後方５８ｍｍを留め板前面の位置とした。実施例２では、図７と反対方向の可動輪軸より前方６２ｍｍを留め板後面の位置とした。
【００５８】  留め板の機能は、実施例１においても、実施例２においても十分に機能した。また、この場合、子供によっては、自分の足で偏芯可動輪を留め板に預けたり（留めたり）、外したりすることが可能であることも確認した。
【００５９】  この留め板の位置は、可動輪の外れにくさを考慮するならば、できるだけ可動輪軸より遠い方がよい。但し、木が欠けるなどして、留め板の機能を損なう懸念もあり、余り遠くへ設定するのも注意が必要である。
【００６０】  以上、実施例１、２の共通項について述べた。また、材料には、共通に木材を使用しているが、場合によっては、軽量のアルミ材等で製作しても、機能は全く変わらないことは言うまでも無い。また、可動輪と可動輪軸との間に、金属ベアリングやプラスチックのブッシュ等を挿入することも、機能の向上にとっては望ましい方向であることも当然である。
【００６１】  次に、実施例個々の仕様と、それにより生じる現象について説明する。表１の場合の設計仕様は、図９、１０に示す橇板（１ａ、１ｂ）の可動輪軸（１１）の穴開け位置を６０ｍｍ、可動輪（１０ａ、１０ｂ）の直径を９０ｍｍ、可動輪の偏芯量を１８ｍｍとした。橇板中心部の板巾は７５ｍｍとした。この場合の、可動輪の橇板底面からの突き出し量は３ｍｍである。この状態を図１１（ａ）に示す。
【００６２】
【表１】
0004844940.tif 000002
【００６３】  表１は、あくまでも理論的な数値計算である。実際の製作結果もほぼ似たような値を示したが、部品毎のガタや寸法誤差等があるため、この表の数値ほど正確ではない。動きのメカニズムを考察するには、この計算値の方が優れている。ために、この表で説明する。
【００６４】  また、表１中で橇板が特定の角度になった時の、橇板（１）と可動輪（１０）の位置関係を図１１に示したので、図１１も用いて併せて説明する。
【００６５】  先ず、木馬を置いた状態では、当然ながら橇板は水平である。この時点の可動輪の回転角度（傾き）は３３．５６°である。また、橇板の接地距離は０．００ｍｍ、それに対し可動輪の接地距離は−９．９５ｍｍ、つまり橇板よりも約１０ｍｍ前方（表中では−符号）に接地している。図１１（ｂ）の状態である。
【００６６】  この状態で子供が木馬にまたがり、前傾していくと、橇板は回転して傾きを持つ。それによって、穴高さは徐々に上がっていく。また、橇板の接地点も、前方へ進んでいく。可動輪は回転が戻る方向に回る。
【００６７】  橇板の傾きが前傾０．５０°〜０．７５°の辺りで、橇板と可動輪の接地位置が同じになる。さらに前傾し、橇板の傾きが３°となった時の状態を図１１（ｃ）に示す。
【００６８】  前傾４．５°時点では、可動輪軸の穴高さは６２．９０ｍｍとなり、可動輪の回転角度は６．１１°とほぼ下向きに近い状態となる。この時の橇板の接地位置は前方７７．８４ｍｍ、可動輪の接地位置は前方６．１１ｍｍとなり、橇板の方が可動輪の接地位置よりもはるか前方（表中では＋符号）にある。この状態を図１１（ｄ）に示す。
【００６９】  もし、橇板の回転角度が４．７５°を過ぎると、可動輪は完全に浮き上がってしまう。つまり木馬を激しく搖動させるとこうした状態となる。この浮き上がった状態の可動輪は回転が自由にできるため、回転角度は±のどちらにでもなりうる。
【００７０】  従って、４．７５°以上の激しい搖動のもとでは、次ぎの後傾の段階に移った時の着地時に、可動輪が前向き（＋回転）となるか、後向き（−回転）となるかは予測できない。
【００７１】  この表で重要な点は三つある。一つは、橇板の回転角度が０°の時の可動輪の回転角度である。この角度を、以下、可動輪の初期設定角度と呼ぶが、設計で決まってくる値である。
【００７２】  二つめは、可動輪に浮き上がりが生じる角度である。表１では、橇板の回転角度が４．７５°で生じている。これも、設計段階で決まってくる値で、以下、可動輪の浮き上がり角度と呼ぶ。
【００７３】  三つ目は、橇板の回転角度が０．７５°〜４．７５°の時の、橇板と可動輪の接地距離の関係である。つまり、表１中では、＋記号の距離となっているもので、可動輪の設置位置よりも、橇板の接地位置が前方にあることを示している。この状況は、可動輪を橇板の前後方向の中心に設けたことによるもので、本発明の中心をなす。
【００７４】  先ず、一つめの、可動輪の初期設定角度に関して。実施例１では、３３．５６°を設定している。この状態は可動輪の回転角度が最も大きい状態であり、可動輪は非常に滑りやすい。従って、簡単に空転する状態にある。
【００７５】  実際に、実施例１以上の可動輪の初期設定角度を使用すると、搖動角度が小さい時には、可動輪の機能を発揮しづらい。つまり、可動輪が滑って、木馬の後退運動が起き難い。経験的には３５°以下がよさそうである。
【００７６】  次に二つめの、可動輪の浮き上がり角度について。激しい搖動運動を対象とした仕様にするには、大きくとることが望ましい。ただ、この値を大きく取ろうとすると、可動輪の初期設定角度を大きくする必要があり、結局、前進、後退、旋回の各種の動きを、比較的に小さな搖動でも実現できるようにすることが難しくなる。つまり、浮き上がり角度も、ある程度限定される。実施例１では、４．７５°に設定している。この時の橇板先端の浮き上がりは、２７ｍｍである。
【００７７】  次に三つめの、接地距離について。表中の橇板の回転角度０．７５°〜４．５０の範囲では、可動輪よりも橇板の接地位置が前方にある。つまり、子供の重心位置（ほぼ中央と推測）に近いところに可動輪が、重心から遠いところに橇板が接地している。橇板の回転角度が小さい時は子供の体重を橇板と稼動輪とで支えていると推測するが、橇板の回転角度が大きくなるにつれて、可動輪の負担が増加すると思われる。従って、この時期には、可動輪は床面との間で空転しにくく、橇板は滑りやすい状況となっている。
【００７８】  この状態で、子供が前傾運動を止め、後傾運動に移ると、子供の全体重は可動輪に掛かる。しかも、この可動輪に掛かる体重は、可動輪が偏芯していることにより、図１２に示すように、可動輪の回転を助けるトルクとして有効に働く。これによって滑らかな動きが実現できる。
【００７９】  この時の回転トルクは、図１２では、右回りであるために、橇板の後退運動として働く。つまり可動輪の初期回転角度を＋に設定した時は後退運動となる。もし、−に設定するならば、子供が後傾運動から前傾運動に移った時に、前進運動となる。
【００８０】  以上のようなメカニズムで、本発明の木馬は動くため、子供が木馬に乗った状態で搖動運動をさせない時の橇板の接地点の直上に、可動輪軸を設けることが、前進と後退、左旋回と右旋回のバランスがとれた木馬とすることができる。ただ、子供の姿勢や重心位置は相当にバラツクものと思われ予測できない。そこで、万人向きとするために、橇板の前後方向のほぼ中央部に可動輪を設けている。
【００８１】  今まで述べた実施例１の計算例は、一つの可動輪にのみ着目したメカニズムであるが、実際には、左右に可動輪を設けている。従って、左右の可動輪の初期設定角度を反対にとれば、左右の可動輪が反対の運動を起す。
【００８２】  例えば、左可動輪の初期回転角度を＋に、右可動輪を−に取れば、左可動輪は後退運動を起し、右可動輪は前進運動を起す。つまり、木馬は左旋回運動を起すことになる。これが、一対の可動輪を左右に設けた理由である。従って、図５に示した一輪の場合は、前進運動と後退運動しかできない。
【００８３】  旋回運動においては、左右の可動輪の距離が離れている方が、左右輪への体重負荷のバラツキが少なく滑らかに回転できる。こうした点では、可動輪（１０）を橇板（１）の外側に設けた方がよい。しかし、構造が複雑になる、子供が怪我をしやすい方向にあるという点で、本案の図４では、内側に設けている。
【００８４】  実際に、実施例１の仕様の木馬を、板床の上で、手で搖動を加えて計測した移動量を示すと、橇板の搖動角度を約４°とした時、前進、後退ともに、１回の搖動でほぼ２．５ｃｍ程度の移動となった。旋回では、３°程度の橇板の搖動１回で、約１０°の回転。４°程度の搖動では、約１５°の回転が生じた。
【００８５】  次に、別の実施例として表２を示す。この場合の設計仕様は橇板の穴開け位置を５０ｍｍ、可動輪の直径を７４ｍｍ、可動輪の偏芯量を１６ｍｍとしている。可動輪の橇板底面からの突き出し量は実施例１と同じ３ｍｍである。
【００８６】  橇板中心部の板巾は、６０ｍｍとした。この実施例２の仕様は、主として、橇板の中心部の板巾を実施例１よりも狭くとり、デザイン的な見栄えを良くしたものである。つまり橇板の穴明け位置を低めに設定し、それに伴って、可動輪の直径、偏芯量も小さくした仕様である。
【００８７】  ただ、可動輪の突き出し量は実施例１と同じ３ｍｍとしているが、これは、床面がある程度の軟らかさを持つものにも対応できるようにとの思いから、変えなかった。
【００８８】  また、この可動輪外周には、板厚１ｍｍの軟らかいゴム板を貼り付けた。摩擦係数を増やし、移動距離を稼ぐためである。この可動輪は実施例１よりは直径が小さいため、前進運動、後退運動、旋回運動ともに、その効果は少なくなることが予想される。そのために、可動輪の空転を防ぐ目的で、ゴム板を使用している。
【００８９】  実施例２の木馬の動きの計算結果を、表２に示す。ただ、この表２の計算では、ゴムの厚さは無視している。
【表２】
0004844940.tif 000003
【００９０】  この仕様で、カーペットの上で、単純に手で搖動を加えて、移動距離を測ると、前進・後退共に、橇板４°の搖動１回で約２．１ｃｍ移動した。また、橇板４°の搖動１回で、旋回約１０°であった。
【００９１】  この結果から見ると、表２の仕様はゴム板を貼り付けても、また、床の表面状態も滑りにくくなっている条件下でも、表１の仕様の動きの大雑把に７０％程度である。やはり、可動輪の直径の影響と考えられる。
【００９２】  以上、表１と表２の実施例とそのメカニズムで述べたように、橇板の小さい搖動運動でも可動輪がうまく作動するようにするのか。大きな搖動運動にも耐えられるようにするのか。大きく動くように設定するのか。あるいはデザイン的にすっきりとさせるのか。こうした目標に対しては、穴高さ、可動輪直径、偏芯量、飛び出し量等の仕様で決めるべきものであるが、少なくとも、本発明の可動輪を用いることで、前進・後退・左旋回・右旋回が簡単に、しかも効果的に得られることがわかった。
【００９３】  さらに、可動輪の表面の摩擦を考慮し、より効果的な表面材料を利用すれば、より良い結果が得られるのは言うまでも無い。
【符号の説明】１      橇板の総称
１ａ    左側橇板
１ｂ    右側橇板
２ａ    橇板固定用前棒
２ｂ    橇板固定用後棒
３ａ    左前足
３ｂ    右前足
４ａ    左後足
４ｂ    右後足
５      座板
１０    可動輪の総称
１０ａ  左可動輪
１０ｂ  右可動輪
１１    可動輪軸
１２    スペーサー
２０    留め板
２１    留めボルト
２２    留め穴
【要約】
【課題】子供のおもちゃである搖動木馬は、一定位置で、単なる搖動運動をするだけの機能に留まっている。そこで、子供が木馬を搖動させるだけで、前進・後退運動や左・右旋回運動ができる機能を加え、木馬に乗る楽しさを大幅に向上させる。
【解決手段】通常の搖動木馬において、その橇板の前後方向のほぼ中心部に、橇板よりもその頭が飛び出す直径の回転自由な偏芯可動輪を２個セットで左右に設ける。こうすることで、偏芯可動輪の回転により、子供が木馬を搖動させたときに、前進・後退運動や左旋回・右旋回運動ができるようにする。
【選択図】図３【図１】
0004844940.tif 000004
【図２】
0004844940.tif 000005
【図３】
0004844940.tif 000006
【図４】
0004844940.tif 000007
【図５】
0004844940.tif 000008
【図６】
0004844940.tif 000009
【図７】
0004844940.tif 000010
【図８】
0004844940.tif 000011
【図９】
0004844940.tif 000012
【図１０】
0004844940.tif 000013
【図１１】
0004844940.tif 000014
【図１２】
0004844940.tif 000015